(57)【特許請求の範囲】
【請求項１】
粘度が小さいために内燃機関又はボイラに所定の圧力に加圧して所定の流量で供給できないガスオイル又はナフサである燃料油に対して、水を付加して当該燃料油よりも粘度を高めた水エマルジョン燃料を作る際に、当該燃料油に付加する水の量を調整することができる燃料油の粘度調整装置であって、
燃料油に付加される水の量を調整することができる粘度調整部と、
前記燃料油に付加される水の量が前記粘度調整部によって調整して作られた水エマルジョン燃料の粘度を計測する粘度計と、
水エマルジョン燃料を加圧して前記内燃機関又はボイラに供給するための燃料供給ポンプとを備え、
前記粘度調整部は、前記粘度計によって計測して得られた計測粘度に基づいて、所定の圧力に加圧して所定の流量で供給することができる前記燃料油よりも粘度を高めた水エマルジョン燃料を作ることができるように、燃料油に付加される水の量を調整することができることを特徴とする燃料油の粘度調整装置。
【請求項２】
燃料油及び水のうちのいずれか一方、若しくはその両方を加熱することによって、又は水エマルジョン燃料を加熱することによって、燃料油に水が付加されて作られる水エマルジョン燃料の粘度を調整する加熱式粘度調整装置を備えることを特徴とする請求項１記載の燃料油の粘度調整装置。
【請求項３】
請求項１又は２に記載の燃料油の粘度調整装置を備え、この燃料油の粘度調整装置で粘度が調整されて作られた水エマルジョン燃料を、前記燃料供給ポンプを使用して内燃機関又はボイラに供給することができる燃料供給装置。
【請求項４】
粘度が小さいために内燃機関又はボイラに所定の圧力に加圧して所定の流量で供給できないガスオイル又はナフサである燃料油に対して、水を付加して燃料油をエマルジョン化する際に、当該燃料油に付加する水の量を調整して、前記燃料油よりも粘度を高めた所望の粘度の水エマルジョン燃料を作り、当該水エマルジョン燃料を燃料供給ポンプによって所定の圧力に加圧して所定の流量で前記機器に供給できるようにすることを特徴とする燃料油の粘度調整方法。
【発明の詳細な説明】
【技術分野】
【０００１】
本発明は、燃料油に水を付加して燃料油をエマルジョン化する際に、付加する水の量を調整することによって、所望の粘度の水エマルジョン燃料を作ることができるようにする燃料油の粘度調整装置、燃料供給装置及び燃料油の粘度調整方法に関する。
【背景技術】
【０００２】
燃料油の粘度調整装置として、燃料油を冷却することによって粘度を大きくすることができる冷却式粘度調整装置が考えられる。
【０００３】
しかし、燃料油を冷却することによって粘度を大きくするためには、冷却式粘度調整装置が必要であり、この装置の費用が掛かり、設置スペースも必要となり、その他にも、燃料油を冷却するために、多量のエネルギを消費する。
【０００４】
従って、燃料油を冷却しないで燃料油の粘度を大きくすることが求められている。
【０００５】
また、従来において、Ｃ重油に水を混ぜて水エマルジョン燃料を作り、この水エマルジョン燃料を使用することによって、煤塵や窒素酸化物の発生量を低減することができるエマルジョン燃料燃焼装置がある（例えば、特許文献１参照。）。
【先行技術文献】
【特許文献】
【０００６】
【特許文献１】特開平９−２５０７３６号公報
【発明の概要】
【発明が解決しようとする課題】
【０００７】
内燃機関やボイラ等の機器に燃料油を供給する場合、その燃料油の粘度がその機器に対して規定されている粘度よりも小さいときに、その粘度を規定の大きさに調整する必要があるが、現状では、前述の燃料油を冷却することによって粘度を大きくする手段しかなく、それ以外の手段は存在しない。
【０００８】
そのために、粘度の小さい軽質燃料油の例えばガスオイルを、内燃機関やボイラ等の機器で燃焼させる場合には、粘度が小さいことが原因して、燃料供給ポンプによって所定の圧力に加圧して所定の流量で内燃機関やボイラ等の機器に供給することができないことがある。これによって、これらの各機器で燃料油を良好に燃焼させることができないことがある。
【０００９】
また、粘度の小さい燃料油を燃料供給ポンプを使用して内燃機関等の機器に供給しようとすると、このような粘度の小さい燃料油には、潤滑剤として機能する炭素成分が含まれていないものがあり、このまま燃料油として使用すると、機器が損傷することがある。そのために、潤滑剤を燃料油に添加する必要があり、潤滑剤及びそれを添加するための装置の分だけコストが嵩むし、メンテナンスが必要となる。
【００１０】
本発明は、上記のような課題を解決するためになされたものであり、燃料油に水を付加して燃料油をエマルジョン化する際に、付加する水の量を調整することによって、所望の目標粘度の水エマルジョン燃料を作ることができるようにする燃料油の粘度調整装置、燃料供給装置及び燃料油の粘度調整方法を提供することを目的としている。
【課題を解決するための手段】
【００１１】
本発明に係る燃料油の粘度調整装置は、粘度が小さいために内燃機関又はボイラに所定の圧力に加圧して所定の流量で供給できないガスオイル又はナフサである燃料油に対して、水を付加して当該燃料油よりも粘度を高めた水エマルジョン燃料を作る際に、当該燃料油に付加する水の量を調整することができる燃料油の粘度調整装置であって、燃料油に付加される水の量を調整することができる粘度調整部と、前記燃料油に付加される水の量が前記粘度調整部によって調整して作られた水エマルジョン燃料の粘度を計測する粘度計と、水エマルジョン燃料を加圧して前記内燃機関又はボイラに供給するための燃料供給ポンプとを備え、前記粘度調整部は、前記粘度計によって計測して得られた計測粘度に基づいて、所定の圧力に加圧して所定の流量で供給することができる前記燃料油よりも粘度を高めた水エマルジョン燃料を作ることができるように、燃料油に付加される水の量を調整することができることを特徴とするものである。
【００１２】
本発明に係る燃料油の粘度調整装置によると、燃料油に水を付加して燃料油をエマルジョン化させることによって、その燃料油よりも大きい粘度の水エマルジョン燃料を作る際に、燃料油に付加される水の量を調整することで、この水エマルジョン燃料が燃料として使用される内燃機関やボイラ等の機器に対して、適正とされる所望の目標粘度の水エマルジョン燃料を作ることができる。これによって、粘度が小さいために適正とされない燃料油を使用して、適正とされる所望の目標粘度の水エマルジョン燃料に作り変えて、上記各機器に使用できるようにすることができる。
【００１３】
この発明に係る燃料油の粘度調整装置において、燃料油に水を付加して作られた水エマルジョン燃料の質量流量を計測することができる流量計と、前記流量計によって計測して得られた計測質量流量に基づいて、所望の目標粘度の水エマルジョン燃料を作ることができるように、燃料油に付加される水の量を調整することができる粘度調整部とを備えることを特徴とするものとすることができる。
【００１４】
このように、流量計によって計測して得られた水エマルジョン燃料の計測質量流量に基づいて、燃料油に付加される水の量を粘度調整部によって調整すると、実際に作られる水エマルジョン燃料の粘度を所望の目標粘度に近づけることができるし、一致させることができる。これによって、粘度が小さいために適正とされない燃料油を、内燃機関等の機器に対して適正とされる所望の目標粘度の水エマルジョン燃料に確実に作り変えることができる。
【００１５】
なお、水エマルジョン燃料の計測質量流量ＣＫに基づいて、所望の目標粘度の水エマルジョン燃料を作ることができるように、燃料油に付加される水の量を粘度調整部によって調整する方法として、例えば水エマルジョン燃料の目標質量流量ＣＴと、計測質量流量ＣＫとの差ＣＤ（＝ＣＴ―ＣＫ）分が適切な比率で混合された水エマルジョン燃料で補正されて、この差ＣＤが略零となるように、水の付加調整量ＢＤを調整する方法があり、これによって、目標粘度νＴの水エマルジョン燃料を作ることができる。ここで、水エマルジョン燃料の目標質量流量ＣＴと、計測質量流量ＣＫとの差分質量流量ＣＤを零にするための水の付加調整量ＢＤは、既知の水エマルジョン燃料の動粘度と水エマルジョン燃料の質量流量との関係から、例えば演算によって又は予め記憶されているデータから求めることができる。
【００１６】
この発明に係る燃料油の粘度調整装置において、前記燃料油に付加される水の量が前記粘度調整部によって調整して作られた水エマルジョン燃料の粘度を計測する粘度計を更に備え、前記粘度調整部は、前記粘度計によって計測して得られた計測粘度に基づいて、所望の目標粘度の水エマルジョン燃料を作ることができるように、燃料油に付加される水の量を調整することを特徴とするものとすることができる。
【００１７】
このように、粘度計によって計測して得られた水エマルジョン燃料の計測粘度に基づいて、燃料油に付加される水の量を粘度調整部によって調整すると、計測粘度と目標粘度とが同一の単位であるので、水エマルジョン燃料の計測質量流量に基づいて、燃料油に付加される水の量を調整する場合（計測質量流量と目標粘度とが同一の単位でない場合）と比較して、実際に作られる水エマルジョン燃料の粘度を目標粘度により一層近づけることができるし、一致させることができる。これによって、粘度が小さいために適正とされない燃料油を、内燃機関等の機器に対して適正とされる目標粘度の水エマルジョン燃料に確実に作り変えることができる。
【００１８】
なお、水エマルジョン燃料の計測粘度νＫに基づいて、燃料油に付加される水の量を粘度調整部によって調整する方法として、目標粘度νＴと、計測粘度νＫとの差νＤ（＝νＴ―νＫ）が略零となるように、水の付加調整量ＢＤで調整する方法があり、これによって、目標粘度νＴの水エマルジョン燃料を作ることができる。ここで、目標粘度νＴと計測粘度νＫとの差分粘度νＤを零にするための水の付加調整量ＢＤは、既知の水エマルジョン燃料の動粘度と水付加率（水エマルジョン燃料に含まれている水の含水率（％））との関係から、例えば演算によって又は予め記憶されているデータから求めることができる。
【００１９】
そして、粘度調整部は、水エマルジョン燃料の計測質量流量ＣＫ、及び水エマルジョン燃料の計測粘度νＫのいずれに基づいてでも、所望の目標粘度νＴの水エマルジョン燃料を作ることができるように、燃料油に付加される水の量を調整することができるようになっているのは、水エマルジョン燃料の計測粘度νＫが許容粘度であった場合でも、第１燃料油に付加されている水の水付加率（％）が、内燃機関等の機器での燃焼に不適切な値とならないようにするためである。よって、粘度調整部には、水付加率（％）の上限値を予め記憶させて設定することができる。
【００２０】
また、水エマルジョン燃料の計測粘度νＫに基づいて、燃料油に付加される水の量を調整することができるようになっているのは、内燃機関等の機器に実際に供給される水エマルジョン燃料の粘度が、許容範囲内の粘度となるようにするためである。
【００２１】
この発明に係る燃料油の粘度調整装置において、燃料油に水を付加して作られた水エマルジョン燃料の粘度を計測することができる粘度計と、前記粘度計によって計測して得られた計測粘度に基づいて、所望の目標粘度の水エマルジョン燃料を作ることができるように、燃料油に付加される水の量を調整することができる粘度調整部とを備えることを特徴とするものとすることができる。
【００２２】
このようにすると、粘度計によって計測して得られた水エマルジョン燃料の計測粘度に基づいて、燃料油に付加される水の量を粘度調整部によって調整すると、実際に作られる水エマルジョン燃料の粘度を所望の目標粘度に近づけることができるし、一致させることができる。これによって、粘度が小さいために適正とされない燃料油を、内燃機関等の機器に対して適正とされる所望の目標粘度の水エマルジョン燃料に確実に作り変えることができる。これ以外は、上記発明と同様に作用する。
【００２３】
この発明に係る燃料油の粘度調整装置において、燃料油及び水のうちのいずれか一方、若しくはその両方を加熱することによって、又は水エマルジョン燃料を加熱することによって、燃料油に水が付加されて作られる水エマルジョン燃料の粘度を調整する加熱式粘度調整装置を備えることを特徴とするものとすることができる。
【００２４】
この燃料油の粘度調整装置が備える加熱式粘度調整装置によると、燃料油及び水のうちのいずれか一方、若しくはその両方を加熱することによって、又は水エマルジョン燃料を加熱することによって、水エマルジョン燃料の粘度を小さくするための調整をすることができる。
【００２５】
そして、水エマルジョン燃料の水の付加率と、温度とを制御することによって、水エマルジョン燃料の粘度をあまり大きくせずに、水の付加率を大きくすることが可能である。これによって、燃料消費量の低減を図ることができる。
【００２６】
この発明に係る燃料油の粘度調整装置において、前記燃料油が、ガスオイル又はナフサであることを特徴とするものとすることができる。
【００２７】
このように、燃料油としてガスオイル又はナフサを使用すると、ガスオイル等は、その粘度が小さいので、そのままでは、燃料供給ポンプを使用して所望の圧力に加圧し、所望の流量で内燃機関等の機器に供給することが困難であるが、燃料油の粘度調整装置を使用することによって、ガスオイル等をエマルジョン化して粘度を大きくすることができ、これによって、このエマルジョン化されて作られた水エマルジョン燃料を、燃料供給ポンプを使用して所望の圧力に加圧し、所望の流量で内燃機関等の機器に供給することができる。
【００２８】
この発明に係る燃料供給装置は、本発明に係る燃料油の粘度調整装置を備え、この燃料油の粘度調整装置で粘度が調整されて作られた水エマルジョン燃料を、燃料供給ポンプを使用して内燃機関又はボイラに供給することができるものである。
【００２９】
本発明に係る燃料供給装置によると、本発明に係る燃料油の粘度調整装置を備えているので、この燃料油の粘度調整装置によって粘度が調整されて作られた水エマルジョン燃料を、燃料供給ポンプを使用して所望の圧力に加圧し、所望の流量で内燃機関やボイラ等の機器に供給することができる。
本発明に係る燃料油の粘度調整方法は、粘度が小さいために内燃機関又はボイラに所定の圧力に加圧して所定の流量で供給できないガスオイル又はナフサである燃料油に対して、水を付加して燃料油をエマルジョン化する際に、当該燃料油に付加する水の量を調整して、前記燃料油よりも粘度を高めた所望の粘度の水エマルジョン燃料を作り、当該水エマルジョン燃料を燃料供給ポンプによって所定の圧力に加圧して所定の流量で前記機器に供給できるようにすることを特徴とするものである。           
【発明の効果】
【００３０】
本発明に係る燃料油の粘度調整装置、燃料供給装置及び燃料油の粘度調整方法によると、例えば内燃機関やボイラ等の機器に対して使用するには、粘度が小さいために適正とされない燃料油であっても、そのような機器に対して適正とされる所望の目標粘度の水エマルジョン燃料に作り変えて、それらの機器に使用できるようにすることができる構成である。
【００３１】
従って、粘度の小さい燃料油（基油）を、それよりも粘度の大きい水エマルジョン燃料に作り変えることができ、この作り変えた水エマルジョン燃料は、例えば燃料供給ポンプによって所定の圧力に加圧して内燃機関やボイラ等の機器に供給することができる。これによって、必要な流量で水エマルジョン燃料をこれらの各機器に供給することができる。その結果、これらの各機器で燃料油を良好に燃焼させることができる。また、粘度が小さい燃料油を第２燃料供給ポンプを使用して機器に供給しようとすると、潤滑剤を添加する必要があるが、粘度の小さい第１燃料油を水エマルジョン燃料に作り変える際に、界面活性剤を付加することによって、この界面活性剤が潤滑剤としての機能を果たすことができる。よって、潤滑剤を使用しないで第２燃料供給ポンプの焼付き等の損傷を防止することができる。
【図面の簡単な説明】
【００３２】
【図１】この発明の第１実施形態に係る燃料油の粘度調整装置を備える燃料供給装置を示す回路図である。
【図２】同第１実施形態に係る同粘度調整装置によって粘度調整されるガスオイルの動粘度と温度との関係を示す図である。
【図３】同第１実施形態に係る同粘度調整装置によって粘度調整される水エマルジョン燃料の動粘度と、水付加率との関係を示す図である。
【図４】同第１実施形態に係る同粘度調整装置によって粘度調整される水エマルジョン燃料の動粘度と、水エマルジョン燃料の質量流量との関係を示す図である。
【図５】同発明の第２実施形態に係る燃料油の粘度調整装置を備える燃料供給装置を示す回路図である。
【発明を実施するための形態】
【００３３】
以下、本発明に係る燃料油の粘度調整装置を備える燃料供給装置（以下、単に「燃料供給装置」と言うこともある。）の第１実施形態を、図１〜図３を参照して説明する。この燃料供給装置１２は、図１に示すように、第１燃料タンク１３に貯留されている第１燃料油（例えばガスオイル）に対して、水タンク１４に貯留されている水を付加して水エマルジョン燃料を作り、この水エマルジョン燃料をこの燃料供給装置１２に接続されているディーゼル機関１５に供給することができるものである。
【００３４】
そして、この燃料供給装置１２が備えている燃料油の粘度調整装置（以下、単に「粘度調整装置」と言うこともある。）１１は、第１燃料油に付加する水の量を調整することによって、所望の目標粘度の水エマルジョン燃料を作ることができるようにするものである。
【００３５】
図１に示すように、燃料供給装置１２は、第１燃料タンク１３、第１燃料供給ポンプ１６、エマルジョン発生装置１７、第２燃料供給ポンプ１８、水タンク１４、水付加装置１９、添加剤タンク２０、及び添加剤供給ポンプ２１を備えている。
【００３６】
そして、粘度調整装置１１は、粘度調整部２２、第１流量計２３、第１粘度計２４、第２質量流量計２５、及び第２粘度計２６を備えている。
【００３７】
第１燃料タンク１３は、第１燃料油を貯留することができるものである。この第１燃料油は、例えば粘度の小さいガスオイルである。このガスオイルは、例えばＩＳＯの留出油に分類されるＤＭＡ又はＤＭＢである。
【００３８】
第１燃料供給ポンプ１６は、第１燃料タンク１３内の第１燃料油をエマルジョン発生装置１７に供給することができるものである。そして、この第１燃料供給ポンプ１６は、第１燃料タンク１３の出口と、エマルジョン発生装置１７の入口とを接続する燃料供給ライン２７（配管）の途中に設けられている。また、この第１燃料供給ポンプ１６は、図示しない電気式モータで駆動される構成と成っている。
【００３９】
水タンク１４は、水を貯留することができるものであり、この水タンク１４の出口に水付加装置１９が接続されている。
【００４０】
水付加装置１９は、水供給ポンプを備えており、水タンク１４内の水をエマルジョン発生装置１７に供給することができるものであり、水タンク１４の出口と、エマルジョン発生装置１７の入口とを接続する水供給ライン２８（配管）の途中に設けられている。そして、この水供給ポンプは、図示しない電気式モータで駆動される構成と成っている。
【００４１】
添加剤タンク２０は、例えば界面活性剤等の添加剤を貯留することができるものであり、この添加剤タンク２０の出口に添加剤供給ポンプ２１が接続されている。
【００４２】
添加剤供給ポンプ２１は、添加剤タンク２０内の添加剤（界面活性剤）をエマルジョン発生装置１７に供給することができるものであり、添加剤タンク２０の出口と、水供給ライン２８の途中部とを接続する添加剤供給ライン２９（配管）の途中に設けられている。そして、この添加剤供給ポンプ２１は、図示しない電気式モータで駆動される構成と成っている。
【００４３】
なお、図１に示すように、燃料供給ライン２７と水供給ライン２８との合流部３１は、燃料供給ライン２７の途中であって、第１粘度計２４とエマルジョン発生装置１７との間に設けられている。
【００４４】
そして、水供給ライン２８と添加剤供給ライン２９との合流部３２は、水供給ライン２８の途中であって、水付加装置１９と合流部３１との間に設けられている。
【００４５】
エマルジョン発生装置１７は、ミキサであり、第１燃料供給ポンプ１６によって供給されてくる第１燃料油と、水付加装置１９によって供給されてくる水とを混合して撹拌することによって、水エマルジョン燃料を作ることができるものである。このエマルジョン発生装置１７で作られた水エマルジョン燃料は、エマルジョン発生装置１７の下流に設けられている第２燃料供給ポンプ１８に供給される。
【００４６】
第２燃料供給ポンプ１８は、燃料加圧供給ライン３０（配管）内の水エマルジョン燃料等の燃料を所定の圧力に昇圧して、この昇圧した燃料をディーゼル機関１５に供給することができるものであり、この第２燃料供給ポンプ１８は、図示しない電気式モータで駆動される構成と成っている。
【００４７】
そして、図１に示すように、燃料加圧供給ライン３０は、燃料を所定方向に流して循環させることができる循環ラインとなっている。つまり、ディーゼル機関１５で水エマルジョン燃料等の燃料が消費されると、この循環ラインを循環する水エマルジョン燃料等の燃料がディーゼル機関１５に供給されるようになっている。そして、ディーゼル機関１５で消費された燃料を補うように、この循環ラインに第１燃料油が第１燃料供給ポンプ１６によって、そして水が水付加装置１９によって、それぞれエマルジョン発生装置１７を介してこの循環ラインに供給される。
【００４８】
ディーゼル機関１５（内燃機関）は、固定用又は移動用のディーゼル機関であり、この実施形態では、舶用のディーゼル機関である。
【００４９】
次に、燃料油の粘度調整装置１１について、図１を参照して説明する。この粘度調整装置１１は、第１流量計２３、第１粘度計２４、第２質量流量計２５、第２粘度計２６、及び粘度調整部２２を備えている。
【００５０】
第１流量計２３は、例えば体積流量計であり、燃料供給ライン２７の途中であって、第１燃料供給ポンプ１６の下流側に設けられている。この第１流量計２３は、第１燃料供給ポンプ１６から吐出されて燃料供給ライン２７を流れる第１燃料油の体積流量を計測することができるものである。そして、計測して得られた計測体積流量は、粘度調整部２２に入力される。
【００５１】
第１粘度計２４は、図１に示すように、燃料供給ライン２７の途中であって、第１流量計２３の下流側に設けられている。この第１粘度計２４は、燃料供給ライン２７を流れる第１燃料油を含む各種燃料油の粘度（例えば動粘度）を計測することができるものであり、計測して得られた計測粘度は、粘度調整部２２に入力される。粘度調整部２２は、この計測粘度に基づいて、この燃料供給ライン２７を流れる燃料油がガスオイルであるか、それ以外の例えばＣ重油であるか、又はそれらが混合している状態であるかを判定することができるし、計測粘度を図示しない表示部に表示させることができる。
【００５２】
第２質量流量計２５は、例えばコリオリ式質量流量計であり、燃料加圧供給ライン３０の途中であって、エマルジョン発生装置１７の下流側に設けられている。この第２質量流量計２５は、エマルジョン発生装置１７から流出して燃料加圧供給ライン３０を流れる水エマルジョン燃料等の燃料の質量流量を計測することができるものである。そして、計測して得られた計測質量流量は、粘度調整部２２に入力される。粘度調整部２２は、第２質量流量計２５によって計測して得られた計測質量流量に基づいて、所望の目標粘度の水エマルジョン燃料を作ることができるように、所定の指令信号を水付加装置１９に出力して第１燃料油に付加される水の量を調整することができる。
【００５３】
第２粘度計２６は、図１に示すように、燃料加圧供給ライン３０の途中であって、第２燃料供給ポンプ１８の下流側に設けられている。この第２粘度計２６は、燃料加圧供給ライン３０を流れる水エマルジョン燃料等の燃料の粘度を計測することができるものであり、計測して得られた計測粘度は、粘度調整部２２に入力される。粘度調整部２２は、第２粘度計２６によって計測して得られた計測粘度に基づいて、所望の目標粘度の水エマルジョン燃料を作ることができるように、所定の指令信号を水付加装置１９に出力して燃料油に付加される水の量を調整することができる。
【００５４】
粘度調整部２２は、中央演算処理装置（ＣＰＵ）を備える制御部３３に含まれている。この粘度調整部２２は、第２質量流量計２５によって計測して得られた水エマルジョン燃料の計測質量流量に基づいて、所望の目標粘度の水エマルジョン燃料をエマルジョン発生装置１７で作ることができるように、水付加装置１９を制御して燃料油に付加される水の量を調整することができる機能を有している。
【００５５】
また、この粘度調整部２２は、第２粘度計２６によって計測して得られた水エマルジョン燃料の計測粘度に基づいて、所望の目標粘度の水エマルジョン燃料をエマルジョン発生装置１７で作ることができるように、水付加装置１９を制御して燃料油に付加される水の量を調整することができる機能も有している。
【００５６】
次に、上記のように構成された燃料油の粘度調整装置１１を備える燃料供給装置１２の作用を、図１〜図３を参照して説明する。この図１に示す燃料供給装置１２によると、第１燃料タンク１３内の燃料油（例えばガスオイル）と、水タンク１４内の水とをエマルジョン発生装置１７で混合及び撹拌して得られた水エマルジョン燃料を、燃料加圧供給ライン３０を介してディーゼル機関１５に供給することができる。
【００５７】
そして、図１に示す燃料油の粘度調整装置１１によると、第１燃料油（ガスオイル）に水を付加して燃料油をエマルジョン化させることによって、その第１燃料油よりも大きい粘度の水エマルジョン燃料を作る際に、第１燃料油に付加される水の量を粘度調整部２２によって調整することで、この水エマルジョン燃料が燃料として使用されるディーゼル機関１５に対して、適正とされる所望の目標粘度の水エマルジョン燃料を作ることができる。これによって、粘度が小さいために適正とされない第１燃料油を使用して、適正とされる所望の目標粘度の水エマルジョン燃料に作り変えて、ディーゼル機関１５に使用できるようにすることができる。
【００５８】
そして、上記のように、粘度の小さい第１燃料油（基油）を、それよりも粘度の大きい水エマルジョン燃料に作り変えることができるので、この作り変えた水エマルジョン燃料は、図１に示す第２燃料供給ポンプ１８によって所定の圧力に加圧してディーゼル機関１５に供給することができる。これによって、必要な流量で水エマルジョン燃料をディーゼル機関１５に供給することができる。その結果、ディーゼル機関１５で第１燃料油を良好に燃焼させることができる。
【００５９】
つまり、燃料油としてガスオイルを使用すると、ガスオイルは、その粘度が小さいので、第２燃料供給ポンプ１８を使用して所望の圧力に加圧し、所望の流量でディーゼル機関１５等の機器に供給することが困難であるが、この粘度調整装置１１を使用することによって、ガスオイルをエマルジョン化して粘度を大きくすることができ、これによって、このエマルジョン化されて作られた水エマルジョン燃料を、第２燃料供給ポンプ１８を使用して所望の圧力に加圧し、所望の流量でディーゼル機関１５等の機器に供給することができる。
また、粘度が小さい第１燃料油を第２燃料供給ポンプ１８でディーゼル機関１５に供給しようとすると、潤滑剤を付加する必要があるが、粘度の小さい第１燃料油を水エマルジョン燃料に作り変える際に、界面活性剤（添加剤）を添加することによって、この界面活性剤が潤滑剤としての機能を果たすことができる。よって、潤滑剤を使用しないで第２燃料供給ポンプ１８の焼付き等の損傷を防止することができる。
【００６０】
また、図１に示すように、第２質量流量計２５によって計測して得られた水エマルジョン燃料の計測質量流量に基づいて、第１燃料油に付加される水の量を粘度調整部２２によって調整すると、実際に作られる水エマルジョン燃料の粘度を所望の目標粘度に近づけることができるし、一致させることができる。これによって、粘度が小さいために適正とされない第１燃料油を、ディーゼル機関１５に対して適正とされる所望の目標粘度の水エマルジョン燃料に確実に作り変えることができる。
【００６１】
なお、水エマルジョン燃料の計測質量流量ＣＫに基づいて、所望の目標粘度の水エマルジョン燃料を作ることができるように、第１燃料油に付加される水の量を粘度調整部２２によって調整する方法として、例えば水エマルジョン燃料の目標質量流量ＣＴと、計測質量流量ＣＫとの差ＣＤ（＝ＣＴ―ＣＫ）分が適切な比率で混合された水エマルジョン燃料で補正されて、この差ＣＤが略零となるように、又は比が略１となるように、水の付加調整量ＢＤを調整する方法があり、これによって、目標粘度νＴの水エマルジョン燃料を作ることができる。ここで、水エマルジョン燃料の目標質量流量ＣＴと、計測質量流量ＣＫとの差分質量流量ＣＤを零にするための水の付加調整量ＢＤは、後述する図３に示す水エマルジョン燃料の動粘度と水エマルジョン燃料の質量流量との関係から、例えば自動的に演算によって又は予め記憶されているデータから求めることができる。
【００６２】
更に詳しく説明すると、水の付加調整量ＢＤを決定するときは、例えば第１燃料油を含む水エマルジョン燃料の質量流量（第２質量流量計２５によって測定して得られた質量流量）と、この水エマルジョン燃料の体積流量（この体積流量は、燃料加圧供給ライン３０に設けられている体積流量計（図示せず）によって計測して得ることができる。）とに基づいて、この水エマルジョン燃料の比重や密度を制御部３３が算出し、この算出して得られた水エマルジョン燃料の比重や密度、並びに、必要に応じて例えば既知の第１燃料油や水の比重や密度を使用して、燃料加圧供給ライン３０を循環する水エマルジョン燃料の比重や密度が目標値に近づくように水付加調整量を演算によって求めるようになっている。
【００６３】
また、水エマルジョン燃料の目標質量流量ＣＴと、計測質量流量ＣＫとの差ＣＤ（＝ＣＴ―ＣＫ）が略零となるように、又は差ＣＤを基に水の付加調整量ＢＤを調整するときは、計測質量流量ＣＫに対して温度補正等の各種補正を行なっており、目標質量流量ＣＴとの間で温度等に基づく誤差が生じないようにしている。
【００６４】
更に、図１に示すように、第２粘度計２６によって計測して得られた水エマルジョン燃料の計測粘度に基づいて、第１燃料油に付加される水の量を粘度調整部２２によって調整すると、計測粘度と目標粘度とが同一の単位であるので、水エマルジョン燃料の計測質量流量に基づいて、第１燃料油に付加される水の量を調整する場合（計測質量流量と目標粘度とが同一の単位でない場合）と比較して、実際に作られる水エマルジョン燃料の粘度を目標粘度により近づけることができるし、一致させることができる。これによって、粘度が小さいために適正とされない第１燃料油を、ディーゼル機関１５に対して適正とされる目標粘度の水エマルジョン燃料に確実に作り変えることができる。
【００６５】
なお、水エマルジョン燃料の計測粘度νＫに基づいて、第１燃料油に付加される水の量を粘度調整部２２によって調整する方法として、目標粘度νＴと、計測粘度νＫとの差νＤ（＝νＴ―νＫ）が略零となるように、又は比が略１となるように、水の付加調整量ＢＤで調整する方法があり、これによって、目標粘度νＴの水エマルジョン燃料を作ることができる。ここで、目標粘度νＴと計測粘度νＫとの差分粘度νＤを零にするための水の付加調整量ＢＤは、後述する図４に示す水エマルジョン燃料の動粘度と水付加率との関係から自動的に、例えば演算によって又は予め記憶されているデータから求めることができる。
【００６６】
そして、目標粘度νＴと、計測粘度νＫとの差νＤ（＝νＴ―νＫ）が略零となるように、水の付加調整量ＢＤで調整するときは、計測粘度νＫに対して温度補正等の各種補正を行なっており、目標粘度νＴとの間で温度等に基づく誤差が生じないようにしている。
【００６７】
そして、図１に示す粘度調整部２２は、水エマルジョン燃料の計測質量流量ＣＫに基づいて、所望の目標粘度νＴの水エマルジョン燃料を作ることができるように、第１燃料油に付加される水の量を調整するようになっているし、水エマルジョン燃料の計測粘度νＫに基づいて、所望の目標粘度νＴの水エマルジョン燃料を作ることができるように、第１燃料油に付加される水の量を調整するようにもなっているのは、水エマルジョン燃料の計測粘度νＫが許容粘度であった場合でも、第１燃料油に付加されている水の水付加率（水エマルジョン燃料に含まれる水の含有率）（％）が、ディーゼル機関１５での燃焼に不適切な値とならないようにするためである。
【００６８】
よって、粘度調整部２２には、水付加率（％）の上限値が予め記憶されて設定されている。そして、第１燃料油に付加されている水の水付加率（％）が、所定の上限値となったときに、アラームを出力したり、図示しない表示部に表示するようにもなっている。
【００６９】
また、水エマルジョン燃料の計測粘度νＫに基づいて、第１燃料油に付加される水の量を調整することができるようになっているのは、ディーゼル機関１５に供給される実際の水エマルジョン燃料の粘度が、目標粘度νＴに対して規定されている許容範囲内の粘度となるようにするためである。
【００７０】
なお、図２は、この実施形態で使用されている第１燃料油の動粘度（ストークスＳｔ）と温度（℃）との関係を示す図である。このように、第１燃料油（例えばガスオイル（ＤＭＡ又はＤＭＢ））は、その温度を下げることによって、動粘度を大きくすることができるものである。
【００７１】
例えば温度ｔ１で動粘度ν１のガスオイルを目標動粘度νＴにするには、ガスオイルの温度をｔＴまで下げる必要がある。
【００７２】
図３は、第１燃料油に水を付加して作られた水エマルジョン燃料の動粘度（ストークスＳｔ）と、水エマルジョン燃料の質量流量（ｇ／秒）（或る一定の流速で、水付加率を変化させたときの水エマルジョン燃料の質量流量）との関係を示す図である。このように、第１燃料油（例えばガスオイル）は、所定の範囲で水の水付加率（％）を大きくするほど、水エマルジョン燃料の動粘度が大きくなる。
【００７３】
例えば所定の温度のガスオイルに水を付加して目標動粘度νＴのエマルジョンを作るには、水エマルジョン燃料の質量流量（第２質量流量計２５の計測質量流量ＣＫ）がＣＴとなるように、ガスオイルに水を付加する必要がある。そして、この図３に示す水エマルジョン燃料の動粘度（ストークスＳｔ）と水エマルジョン燃料の質量流量との関係は、制御部３３が自動的に演算で求めることができるようにしてもよいし、データを予め記憶部に記憶しておいてもよい。
【００７４】
図４は、第１燃料油に水を付加して作られた水エマルジョン燃料の動粘度（ストークスＳｔ）と水付加率（％）との関係を示す図である。この水付加率とは、水エマルジョン燃料中に含まれる水の含有率である。このように、第１燃料油（例えばガスオイル）は、水を付加してエマルジョン化することによって、動粘度を大きくすることができるものである。
【００７５】
例えば所定の温度のガスオイルに水を付加して目標動粘度νＴのエマルジョンを作るには、水付加率がｗＴとなるように、ガスオイルに水を付加する必要がある。そして、この図４に示す水エマルジョン燃料の動粘度（ストークスＳｔ）と水付加率（％）との関係は、制御部３３が自動的に演算で求めることができるようにしてもよいし、データを予め記憶部に記憶しておいてもよい。
【００７６】
このように、図１に示す燃料油の粘度調整装置１１は、動粘度の小さい第１燃料油に水を付加してエマルジョン化することによって、この第１燃料油を動粘度の大きい水エマルジョン燃料として使用できるようにすることができる。
【００７７】
従って、この燃料油の粘度調整装置１１は、第１燃料油を冷却することによって粘度を大きくするものではないので、冷却装置を必要とせず、このような冷却装置の費用が掛からないし、冷却装置の設置スペースも必要としない。そして、冷却水も必要としないので、これによってもこの粘度調整装置１１の費用が少なくて済み、設置スペースも小さくて済む。
【００７８】
また、第１燃料油（ガスオイル）を水エマルジョン燃料に作り変えてディーゼル機関１５等の内燃機関の燃料として使用することによって、排気中のＮＯＸ成分を低減することができる。これによって、水エマルジョン燃料を使用する例えば舶用ディーゼル機関１５の普及に貢献することができ、自然環境の保護を図ることができる。
【００７９】
次に、本発明に係る燃料油の粘度調整装置を備える燃料供給装置（以下、単に「燃料供給装置」と言うこともある。）の第２実施形態を、図５を参照して説明する。この図５に示す第２実施形態の燃料供給装置４１は、図１に示す第１実施形態の燃料供給装置１２において、第２燃料タンク４３を設けてあり、この第２燃料タンク４３に貯留されている第２燃料油（例えばＣ重油）に水を混合して水エマルジョン燃料を作り、この水エマルジョン燃料をディーゼル機関１５に供給することができるようになっている。そして、第２燃料タンク４３に貯留されている第２燃料油（例えばＣ重油）を、水を付加しないでディーゼル機関１５に供給することができるようにもなっている。
【００８０】
更に、この図５に示す第２実施形態の燃料油の粘度調整装置４２は、加熱式粘度調整装置４４を備えている。
【００８１】
図５に示すように、第１燃料タンク１３及び第２燃料タンク４３のそれぞれの出口は、配管４５、４６を介して供給路切換部４７（三方切換え弁）と接続している。この供給路切換部４７は、第１燃料タンク１３に貯留されている第１燃料油（ガスオイル）、及び第２燃料タンク４３に貯留されている第２燃料油（Ｃ重油）のうち、所望の燃料油をこの供給路切換部４７の下流側に接続されている第１燃料供給ポンプ１６の吸込み口に導くように燃料供給路を切換えることができるものである。
【００８２】
この供給路切換部４７は、制御部３３からの操作信号によって操作されるようになっている。
【００８３】
第１燃料供給ポンプ１６は、第１燃料タンク１３内のガスオイル、及び第２燃料タンク４３内のＣ重油のうち、供給路切換部４７を通って導かれてくる燃料油をエマルジョン発生装置１７に供給することができるようになっている。なお、第２燃料タンク４３内のＣ重油が、水が付加されない状態でエマルジョン発生装置１７に供給されると、このＣ重油は、エマルジョン化されないでディーゼル機関１５に供給される。
【００８４】
加熱式粘度調整装置４４は、第２燃料タンク４３に貯留されている第２燃料油（Ｃ重油）、及び水タンク１４に貯留されている水のうちのいずれか一方、又はその両方を加熱することによって、第２燃料油（Ｃ重油）に水が付加されて作られる水エマルジョン燃料の粘度を調整することができるものである。
【００８５】
この加熱式粘度調整装置４４は、図５に示すように、第２燃料タンク４３に設けられているヒータ４８、水タンク１４に設けられているヒータ４９、及び制御部３３に設けられている加熱式粘度調整部５０を備えている。
【００８６】
この第２燃料タンク４３に設けられているヒータ４８は、第２燃料タンク４３に貯留されている第２燃料油（Ｃ重油）を設定温度に加熱することができるものであり、第２燃料油を加熱する温度制御は、加熱式粘度調整部５０によって行なわれる。
【００８７】
水タンク１４に設けられているヒータ４９は、水タンク１４に貯留されている水を設定温度に加熱することができるものであり、水を加熱する温度制御は、加熱式粘度調整部５０によって行なわれる。
【００８８】
この加熱式粘度調整装置４４によると、第１燃料油及び水のうちのいずれか一方、又はその両方をヒータ４８、４９で加熱することによって、第２燃料油（Ｃ重油）を使用する水エマルジョン燃料の粘度を小さくするための調整をすることができる。そして、上記のように、この粘度調整装置４２が備える粘度調整部２２によって、第１燃料油（ガスオイル）の粘度を大きくするための調整をすることもできる。従って、この加熱式粘度調整装置４４を備える粘度調整装置４２によると、ディーゼル機関１５に使用される様々な粘度の燃料油（この実施形態では、ガスオイルとＣ重油。）を、そのディーゼル機関１５に適切とされる所望の目標粘度の水エマルジョン燃料に作り変えたり、当該第２燃料油（Ｃ重油）自体を所望の目標粘度に調整することができ、これによって、粘度の違うガスオイル及びＣ重油を、ディーゼル機関１５に使用できるようにすることができる。
【００８９】
なお、第２燃料油及び水のうちのいずれか一方、又はその両方をヒータで加熱して、水エマルジョン燃料の粘度を小さくする目的は、第２燃料油（Ｃ重油）と水とを混合して作られる水エマルジョン燃料の燃焼性を良好にして、燃焼の際に許容以上の煤塵が発生することを防止するためである。
【００９０】
つまり、第２燃料油（Ｃ重油）及び水の温度が低いために水エマルジョン燃料の粘度が高過ぎる場合は、水エマルジョン燃料が燃焼して水エマルジョン燃料中の水が水蒸気爆発したときに、Ｃ重油が細かい粒子にならないので、燃料の燃焼性が低下して、燃焼の際に許容以上の煤塵が発生することがあるからである。
【００９１】
更に、図５に示す燃料供給装置４１では、第１燃料油（ガスオイル）及び第２燃料油（Ｃ重油）のいずれを使用しても、水エマルジョン燃料を作ることができるようにしているのは、例えば排気中のＮＯＸ成分を所定の許容範囲内に収めるように規制されているが、ＳＯＸ成分の規制がされていない海域では、第２燃料油（Ｃ重油）を含む水エマルジョン燃料を使用し、排気中のＮＯＸ成分及びＳＯＸ成分の両方を所定の許容範囲内に収めるように規制されている港や海域では、第１燃料油（ガスオイル）を含む水エマルジョン燃料を使用することができるようにするためである。
【００９２】
つまり、第１燃料油（ガスオイル）を含む水エマルジョン燃料を使用すると、排気中のＮＯＸ成分及びＳＯＸ成分の両方を所定の許容範囲内に低減することができる。そして、第２燃料油（Ｃ重油）を含む水エマルジョン燃料を使用すると、排気中のＮＯＸ成分を所定の許容範囲内に低減できるが、ＳＯＸ成分を所定の許容範囲内に低減することができない。
【００９３】
ただし、図１及び図５に示す上記各実施形態では、ディーゼル機関１５用の燃料供給装置に対して本発明に係る燃料油の粘度調整装置を適用した例を示したが、これに代えて、ディーゼル機関１５以外の機器、例えばボイラ用の燃料供給装置に対して本発明に係る燃料油の粘度調整装置を適用することができる。
【００９４】
そして、上記各実施形態では、図１及び図５に示す回路で形成された燃料供給装置に対して本発明に係る燃料油の粘度調整装置を適用した例を示したが、これ以外の形式で構成された回路の燃料供給装置に対して本発明に係る燃料油の粘度調整装置を適用することができる。
【００９５】
また、上記各実施形態では、舶用のディーゼル機関に対して本発明に係る燃料油の粘度調整装置を適用した例を示したが、これに代えて、例えば陸上で使用されるディーゼル機関や、ボイラ用の燃料供給装置等に対して本発明に係る燃料油の粘度調整装置を適用することができる。この場合、燃料油として例えばナフサを使用することができる。
【００９６】
更に、上記各実施形態では、図１及び図５に示すように、第２質量流量計２５及び第２粘度計２６で得られたそれぞれの計測質量流量及び計測粘度を使用して、水エマルジョン燃料を所望の粘度に調整するようにしたが、これに代えて、第２質量流量計２５及び第２粘度計２６のいずれか一方のみを使用して得られた計測質量流量又は計測粘度を使用して、水エマルジョン燃料を所望の粘度に調整するようにしてもよい。
【００９７】
そして、上記図５に示す第２実施形態では、加熱式粘度調整装置４４は、第２燃料タンク４３に貯留されている第２燃料油（Ｃ重油）、及び水タンク１４に貯留されている水のうちのいずれか一方、又はその両方を加熱することによって、第２燃料油（Ｃ重油）に水が付加されて作られる水エマルジョン燃料の粘度を調整するようにしたが、これに代えて、図には示さないが、燃料供給ライン２７の終端部を通る水エマルジョン燃料、又は燃料加圧供給ライン３０を通る水エマルジョン燃料を加熱することによって、この水エマルジョン燃料の粘度を調整するようにしてもよい。
【産業上の利用可能性】
【００９８】
以上のように、本発明に係る燃料油の粘度調整装置、燃料供給装置及び燃料油の粘度調整方法は、燃料油に水を付加して燃料油をエマルジョン化する際に、付加する水の量を調整することによって、所望の目標粘度の水エマルジョン燃料を作ることができるようにする優れた効果を有し、このような燃料油の粘度調整装置、燃料供給装置及び燃料油の粘度調整方法に適用するのに適している。
【符号の説明】
【００９９】
１１、４２  燃料油の粘度調整装置
１２、４１  燃料供給装置
１３  第１燃料タンク
１４  水タンク
１５  ディーゼル機関
１６  第１燃料供給ポンプ
１７  エマルジョン発生装置
１８  第２燃料供給ポンプ
１９  水付加装置
２０  添加剤タンク
２１  添加剤供給ポンプ
２２  粘度調整部
２３  第１流量計
２４  第１粘度計
２５  第２質量流量計
２６  第２粘度計
２７  燃料供給ライン
２８  水供給ライン
２９  添加剤供給ライン
３０  燃料加圧供給ライン
３１、３２  合流部
３３  制御部
４３  第２燃料タンク
４４  加熱式粘度調整装置
４５、４６  配管
４７  供給路切換部
４８、４９  ヒータ
５０  加熱式粘度調整部
【図１】
0005427731.tif 000002
【図２】
0005427731.tif 000003
【図３】
0005427731.tif 000004
【図４】
0005427731.tif 000005
【図５】
0005427731.tif 000006